(57)【要約】【課題】表示品位が良好であり、薄型化及び低コスト化が可能な反射型の液晶表示装置を提供することを目的とする。【解決手段】  スイッチング素子と、前記スイッチング素子に接続された画素電極と、前記画素電極の上方に位置し一定のピッチで形成されたプリズムからなるプリズム反射層と、を有したアレイ基板と、前記画素電極と対向する対向電極を有した対向基板と、前記アレイ基板と前記対向基板との間に保持され、二色性色素及び液晶分子を含む液晶層と、を備え、前記液晶分子は、その長軸方向の屈折率（ｎｅ）がその短軸方向の屈折率（ｎｏ）より大きい屈折率異方性を有し、前記液晶分子の短軸方向の屈折率が前記プリズムの屈折率と略同等であることを特徴とする液晶表示装置。【選択図】      図２
2012128001.tif 000002
【特許請求の範囲】
【請求項１】
スイッチング素子と、前記スイッチング素子に接続された画素電極と、前記画素電極の上方に位置し一定のピッチで形成されたプリズムからなるプリズム反射層と、を有したアレイ基板と、
前記画素電極と対向する対向電極を有した対向基板と、
前記アレイ基板と前記対向基板との間に保持され、二色性色素及び液晶分子を含む液晶層と、を備え、
前記液晶分子は、その長軸方向の屈折率（ｎｅ）がその短軸方向の屈折率（ｎｏ）より大きい屈折率異方性を有し、前記液晶分子の短軸方向の屈折率が前記プリズムの屈折率と略同等であることを特徴とする液晶表示装置。
【請求項２】
前記液晶層は、二色性色素として黒色色素を含有していることを特徴とする請求項１に記載の液晶表示装置。
【請求項３】
さらに、前記プリズム反射層の背面側に光吸収層を備えたことを特徴とする請求項１または２に記載の液晶表示装置。
【請求項４】
前記光吸収層は、前記画素電極と前記プリズム反射層との間に配置されたことを特徴とする請求項３に記載の液晶表示装置。
【請求項５】
前記プリズムは、光吸収体によって形成されたことを特徴とする請求項１または２に記載の液晶表示装置。
【請求項６】
前記液晶分子の誘電率異方性が負であることを特徴とする請求項１乃至５のいずれか１項に記載の液晶表示装置。
【請求項７】
前記アレイ基板は前記液晶層に接する第１垂直配向膜を有し、前記対向基板は前記液晶層に接する第２垂直配向膜を有したことを特徴とする請求項１乃至６のいずれか１項に記載の液晶表示装置。
【発明の詳細な説明】
【技術分野】
【０００１】
本発明の実施形態は、液晶表示装置に関する。
【背景技術】
【０００２】
液晶表示装置に代表される平面表示装置は、軽量、薄型、低消費電力などの特徴を生かして、パーソナルコンピュータなどのＯＡ機器、情報端末、時計、テレビなどの表示装置として各種分野で利用されている。中でも薄膜トランジスタ（ＴＦＴ）を用いた液晶表示装置は、その応答性の高さから携帯端末やコンピュータなど多くの情報を表示するモニタとして多用されている。
【０００３】
このような液晶表示装置は、利用する光源により、透過型と反射型とに分類される。透過型とは、バックライトと呼ばれる照明装置を液晶表示パネルの背面に備えた構成である。反射型とは、液晶層の背面に反射層を設けて外部から入射した外光の反射光を光源とする構成である。
【０００４】
近年、携帯電話やＰＤＡ（ｐｅｒｓｏｎａｌ  ｄｉｇｉｔａｌ  ａｓｓｉｓｔａｎｔ）などの携帯情報端末機器への関心が高まり、透過型に比べて消費電力が小さく、軽薄で携帯性に勝った反射型の液晶表示装置の要求が高まっている。
【先行技術文献】
【特許文献】
【０００５】
【特許文献１】特開平０８−１５２６２０号公報
【発明の概要】
【発明が解決しようとする課題】
【０００６】
本実施形態の目的は、表示品位が良好であり、薄型化及び低コスト化が可能な反射型の液晶表示装置を提供することにある。
【課題を解決するための手段】
【０００７】
本実施形態によれば、
スイッチング素子と、前記スイッチング素子に接続された画素電極と、前記画素電極の上方に位置し一定のピッチで形成されたプリズムからなるプリズム反射層と、を有したアレイ基板と、前記画素電極と対向する対向電極を有した対向基板と、前記アレイ基板と前記対向基板との間に保持され、二色性色素及び液晶分子を含む液晶層と、を備え、前記液晶分子は、その長軸方向の屈折率（ｎｅ）がその短軸方向の屈折率（ｎｏ）より大きい屈折率異方性を有し、前記液晶分子の短軸方向の屈折率が前記プリズムの屈折率と略同等であることを特徴とする液晶表示装置が提供される。
【図面の簡単な説明】
【０００８】
【図１】図１は、本実施形態における液晶表示装置の構成を概略的に示す平面図である。
【図２】図２は、図１に示した液晶表示装置の構造の一例を概略的に示す断面図である。
【図３】図３は、図１に示した液晶表示装置の他の構造例を概略的に示す断面図である。
【発明を実施するための形態】
【０００９】
以下、本実施形態について、図面を参照しながら詳細に説明する。なお、各図において、同一又は類似した機能を発揮する構成要素には同一の参照符号を付し、重複する説明は省略する。
【００１０】
図１は、本実施形態における液晶表示装置１の構成を概略的に示す平面図である。
【００１１】
すなわち、液晶表示装置１は、アクティブマトリクスタイプの液晶表示パネルＬＰＮ、液晶表示パネルＬＰＮに接続された駆動ＩＣチップ２及びフレキシブル配線基板３などを備えている。
【００１２】
液晶表示パネルＬＰＮは、画像を表示する表示エリア（アクティブエリアと称される場合もある）ＡＣＴを備えている。この表示エリアＡＣＴは、例えば、略矩形状に形成され、ｍ×ｎ個のマトリクス状に配置された複数の画素ＰＸによって構成されている（但し、ｍ及びｎは正の整数である）。
【００１３】
このような液晶表示パネルＬＰＮは、アレイ基板ＡＲと、アレイ基板ＡＲに対向して配置された対向基板ＣＴと、これらのアレイ基板ＡＲと対向基板ＣＴとの間に保持された液晶層ＬＱと、を備えて構成されている。
【００１４】
アレイ基板ＡＲは、第１方向Ｘに沿って延在したゲート線ＧＬや第１方向Ｘに直交する第２方向Ｙに沿って延在したソース線ＳＬなどを備えている。また、このアレイ基板ＡＲは、ゲート線ＧＬ及びソース線ＳＬに接続され各画素ＰＸに対応して配置されたスイッチング素子ＳＷ、スイッチング素子ＳＷに接続され各画素ＰＸに対応して配置された画素電極ＰＥなどを備えている。対向基板ＣＴは、液晶層ＬＱを介して画素電極ＰＥの各々と対向する対向電極ＣＥを備えられている。
【００１５】
シール材ＳＥは、表示エリアＡＣＴの外側に配置され、アレイ基板ＡＲと対向基板ＣＴとを貼り合わせている。図示した例では、シール材ＳＥは、略矩形枠状に形成され、液晶材料を注入するための注入口を有していない閉ループ状に形成されているが、この例に限らず、シール材ＳＥによって注入口が形成されていても良い。注入口が形成されている場合、液晶材料が注入口から注入された後に、注入口は、紫外線硬化型樹脂などの封止材により封止される。
【００１６】
図２は、図１に示した液晶表示装置１の構造の一例を概略的に示す断面図である。
【００１７】
アレイ基板ＡＲは、例えば、ガラス基板やプラスチック基板などの光透過性を有する第１絶縁基板ＳＵＢ１を用いて形成されている。このアレイ基板ＡＲは、第１絶縁基板ＳＵＢ１の対向基板ＣＴに対向する側に、スイッチング素子ＳＷ、画素電極ＰＥ、光吸収層ＡＢ、プリズム反射層ＰＬなどを備えている。
【００１８】
スイッチング素子ＳＷは、例えば、薄膜トランジスタ（ＴＦＴ）などによって構成されている。このスイッチング素子ＳＷは、トップゲート型であっても良いし、ボトムゲート型であっても良く、詳述しないが、ポリシリコンやアモルファスシリコンなどによって形成された半導体層を備えている。図示した例では、スイッチング素子ＳＷは、絶縁層ＩＳによって覆われている。
【００１９】
画素電極ＰＥは、スイッチング素子ＳＷに電気的に接続されている。この画素電極ＰＥは、例えば、インジウム・ティン・オキサイド（ＩＴＯ）やインジウム・ジンク・オキサイド（ＩＺＯ）、あるいは、アルミニウム（Ａｌ）や銀（Ａｇ）などの導電材料によって形成されている。図示した例では、画素電極ＰＥは、絶縁層ＩＳの上に形成されており、絶縁層ＩＳに形成されたコンタクトホールを介してスイッチング素子ＳＷに接続されている。
【００２０】
プリズム反射層ＰＬは、画素電極ＰＥの上方に位置している。このプリズム反射層ＰＬは、一定のピッチで形成されたプリズムＰＳからなるものである。このプリズムＰＳは、表示エリアＡＣＴの略全体に亘って形成されている。このようなプリズムＰＳは、例えば、透明な樹脂材料によって形成されている。また、プリズムＰＳは、例えば、傾斜角が約４５°の３面の斜面からなる三角錐プリズムであるが、プリズムＰＳの形状は特にこれに限定されるものではない。例えば、プリズムＰＳは、四角錐プリズムなどであっても良い。
【００２１】
また、本実施形態では、アレイ基板ＡＲは、プリズム反射層ＰＬの背面側に光吸収層ＡＢを備えている。この光吸収層ＡＢは、表示エリアＡＣＴの略全体に亘って延在している。このような光吸収層ＡＢは、例えば、黒色に着色された樹脂材料によって形成されている。この光吸収層ＡＢの表面は、概ね平坦化されている。
【００２２】
図示した例では、光吸収層ＡＢは、画素電極ＰＥの上に配置され、絶縁層ＩＳの上にも配置されている。プリズム反射層ＰＬは、光吸収層ＡＢの上に配置されている。つまり、光吸収層ＡＢは、画素電極ＰＥとプリズム反射層ＰＬとの間に配置されている。光吸収層ＡＢの表面は概ね平坦化されているため、形状の揃ったプリズムＰＳを形成することが可能である。
【００２３】
一方、対向基板ＣＴは、例えば、ガラス基板やプラスチック基板などの光透過性を有する第２絶縁基板ＳＵＢ２を用いて形成されている。この対向基板ＣＴは、第２絶縁基板ＳＵＢ２のアレイ基板ＡＲに対向する側に、対向電極ＣＥなどを備えている。なお、この対向基板ＣＴには、図示は省略するが、各画素ＰＸを区画するブラックマトリクスや各画素ＰＸに対応して配置されたカラーフィルタ層、カラーフィルタ層の表面の凹凸の影響を緩和するオーバーコート層などが配置されても良い。
【００２４】
対向電極ＣＥは、画素電極ＰＥの各々に対向している。この対向電極ＣＥは、表示エリアＡＣＴの略全体に亘って延在している。このような対向電極ＣＥは、例えば、ＩＴＯやＩＺＯなどの光透過性を有する導電材料によって形成されている。
【００２５】
ここでは、図示を省略したが、アレイ基板ＡＲは第１垂直配向膜を備え、対向基板ＣＴは第２垂直配向膜を備えている。第１垂直配向膜は、プリズムＰＳの表面を覆うように配置され、表示エリアＡＣＴの略全体に亘って延在している。第２垂直配向膜は、対向電極ＣＥを覆うように配置され、表示エリアＡＣＴの略全体に亘って延在している。
【００２６】
第１垂直配向膜及び第２垂直配向膜は、ラビング処理に代表される配向処理工程を必要とせず、画素電極ＰＥと対向電極ＣＥとの間に電位差が形成されていない状態、つまり、画素電極ＰＥと対向電極ＣＥとの間に電界が形成されていない無電界時には、それぞれ液晶層ＬＱの液晶分子ＬＭを第１絶縁基板ＳＵＢ１（あるいは、アレイ基板ＡＲ）の主面及び第２絶縁基板ＳＵＢ２（あるいは、対向基板ＣＴ）の主面に対して略垂直に配向する特性を有している。
【００２７】
上述したようなアレイ基板ＡＲと対向基板ＣＴとは、対向するように配置されている。このとき、アレイ基板ＡＲと対向基板ＣＴとの間には、図示しないスペーサ（例えば、樹脂材料によって一方の基板と一体的に形成された柱状スペーサ）により、所定のセルギャップが形成されている。
【００２８】
シール材ＳＥは、表示エリアＡＣＴの外側に配置されている。このシール材ＳＥは、所定のセルギャップが形成された状態で、アレイ基板ＡＲと対向基板ＣＴとを貼り合わせている。このようなシール材ＳＥは、例えば、紫外線硬化型樹脂や熱硬化型樹脂などによって形成されている。
【００２９】
液晶層ＬＱは、シール材ＳＥによって囲まれた内側のアレイ基板ＡＲと対向基板ＣＴとの間に形成されたセルギャップに保持され、図示しない第１垂直配向膜及び第２垂直配向膜に接している。この液晶層ＬＱは、二色性色素（ゲスト色素）ＤＣを含有するとともに、誘電率異方性が負の液晶分子（ホスト液晶）ＬＭを含んでいる。二色性色素ＤＣは、例えば、黒色色素である。また、この液晶層ＬＱには、液晶分子ＬＭをツイスト配向させるためのカイラル材が添加されている。
【００３０】
液晶分子ＬＭは、その長軸方向の屈折率（ｎｅ）がその短軸方向の屈折率（ｎｏ）より大きい屈折率異方性（Δｎ＝ｎｅ−ｎｏ）を有している。本実施形態においては、例えば、屈折率（ｎｅ）が約１．５８であり、屈折率（ｎｏ）が約１．４８であり、屈折率異方性（Δｎ）は約０．１である。
【００３１】
本実施形態では、液晶分子ＬＭの短軸方向の屈折率（ｎｏ）と、プリズム反射層ＰＬを構成するプリズムＰＳの屈折率とが略同等である。つまり、プリズムＰＳを形成する材料の屈折率は、約１．４８である。なお、図示を省略した第１垂直配向膜の屈折率についても、液晶分子ＬＭの短軸方向の屈折率（ｎｏ）と略同等である。
【００３２】
このような構成の反射型の液晶表示装置１によれば、画素電極ＰＥと対向電極ＣＥとの間に電界が形成されていない状態（ＯＦＦ状態）では、図示したように、液晶層ＬＱの液晶分子ＬＭ及び二色性色素ＤＣの双方が基板に対して略垂直に配向している。このとき、対向基板ＣＴの前方から入射した光は、吸収されることなく液晶層ＬＱを通過し、プリズム反射層ＰＬに向かう。
【００３３】
このようなＯＦＦ状態では、液晶層ＬＱの屈折率は液晶分子ＬＭの長軸方向の屈折率（ｎｅ）であり、一方、プリズム反射層ＰＬにおけるプリズムＰＳ及びプリズムＰＳを覆う第１垂直配向膜の屈折率は液晶分子ＬＭの短軸方向の屈折率（ｎｏ）に略等しい。なお、屈折率（ｎｅ）は、屈折率（ｎｏ）よりも大きい。
【００３４】
このため、液晶層ＬＱを通過した光は、プリズムＰＳの表面（あるいは、液晶層ＬＱと第１垂直配向膜との界面）で全反射され、再び液晶層ＬＱを通過して、対向基板ＣＴの前方に出射される。このため、液晶表示装置１としては明表示（白表示）状態となる。
【００３５】
一方、画素電極ＰＥと対向電極ＣＥとの間に電界が形成された状態（ＯＮ状態）では、液晶層ＬＱの液晶分子ＬＭ及び二色性色素ＤＣの双方がツイストしながら基板に対して略水平に配向している。このとき、対向基板ＣＴの前方から入射した光の大部分は、ランダムな偏光状態であっても液晶層ＬＱを通過する際にその略全方位で二色性色素ＤＣによって吸収される。さらに、一部の光は、二色性色素ＤＣによって吸収されずに液晶層ＬＱを通過し、プリズム反射層ＰＬに向かう。
【００３６】
このようなＯＮ状態では、液晶層ＬＱの屈折率は液晶分子ＬＭの短軸方向の屈折率（ｎｏ）であり、一方、プリズム反射層ＰＬにおけるプリズムＰＳ及びプリズムＰＳを覆う第１垂直配向膜の屈折率は液晶分子ＬＭの短軸方向の屈折率（ｎｏ）に略等しい。
【００３７】
このため、液晶層ＬＱを通過した光は、第１垂直配向膜及びプリズム反射層ＰＬを通過し、プリズム反射層ＰＬの背面側に設けられた光吸収層ＡＢによって吸収される。このため、液晶表示装置１としては暗表示（黒表示）状態となる。これにより、ノーマリーホワイトモードが実現される。
【００３８】
本実施形態の反射型の液晶表示装置１によれば、液晶分子ＬＭの短軸方向の屈折率と略同等の屈折率のプリズムＰＳからなるプリズム反射層ＰＬを備えている。このため、液晶層ＬＱの屈折率が液晶分子ＬＭの長軸方向の屈折率となる条件下では、液晶層ＬＱとプリズムＰＳとの間で屈折率差が生じ、液晶層ＬＱを通過した光がプリズム反射層ＰＬによって全反射され、また、液晶層ＬＱの屈折率が液晶分子ＬＭの短軸方向の屈折率となる条件下では、液晶層ＬＱに入射した外光のほとんどは、液晶層ＬＱに含まれる二色性色素ＤＣによって吸収される。このようなスイッチングにより、反射型の液晶表示装置１が提供される。
【００３９】
また、液晶層ＬＱの屈折率が液晶分子ＬＭの短軸方向の屈折率となる条件下において、二色性色素ＤＣの２色比が低いことなどに起因して、例え外光の一部が二色性色素ＤＣによって吸収されずに液晶層ＬＱを通過したとしても、液晶層ＬＱとプリズムＰＳとの屈折率が略同等となるため、液晶層ＬＱを通過した一部の外光は、プリズム反射層ＰＬを通過した後に、プリズム反射層ＰＬの背面側に配置された光吸収層ＡＢによって吸収される。このため、対向基板ＣＴの前方に出射される光はほとんどない。したがって、高いコントラスト比を得ることが可能となる。これにより、良好な表示品位を得ることが可能となる。
【００４０】
また、本実施形態における反射型の液晶表示装置１は、偏光板を必要としない構成であるため、光の利用効率が高く、明るい表示を実現することが可能となる。しかも、本実施形態の構成は、偏光板に加えて波長板や反射板も不要であるため、薄型化及び軽量化が可能となり、また、部材削減による低コスト化が可能となる。つまり、軽薄で携帯性に優れた反射型の液晶表示装置１を低コストで実現することが可能である。
【００４１】
図３は、図１に示した液晶表示装置１の他の構造例を概略的に示す断面図である。
【００４２】
ここに示した例は、図２に示した例と比較して、光吸収層ＡＢの代わりにプリズム反射層ＰＬのプリズムＰＳが光吸収体によって形成されている点で相違している。なお、他の構成については、図２に示した例と同一であり、同一の参照符号を付して詳細な説明を省略する。
【００４３】
プリズム反射層ＰＬは、画素電極ＰＥの上方に位置している。プリズム反射層ＰＬのプリズムＰＳは、一定のピッチで形成され、しかも、表示エリアＡＣＴの略全体に亘って形成されている。このようなプリズムＰＳは、光吸収体の一例である黒色な樹脂材料によって形成されている。
【００４４】
図示した例では、プリズムＰＳは、画素電極ＰＥの上及び絶縁層ＩＳの上に形成され、図示を省略した第１垂直配向膜によって覆われている。
【００４５】
このような構成の反射型の液晶表示装置１において、ＯＦＦ状態では、上記の例と同様に、液晶層ＬＱに入射した外光は、プリズムＰＳの表面（あるいは、液晶層ＬＱと第１垂直配向膜との界面）で全反射され、再び液晶層ＬＱを通過して、対向基板ＣＴの前方に出射される。このため、液晶表示装置１としては明表示（白表示）状態となる。
【００４６】
一方、ＯＮ状態では、液晶層ＬＱに入射した外光の大部分は、上記の例と同様に、ランダムな偏光状態であっても液晶層ＬＱを通過する際にその略全方位で二色性色素ＤＣによって吸収される。このような液晶層ＬＱにおいて吸収されなかった光は、液晶層ＬＱを通過した後に、第１垂直配向膜及びプリズム反射層ＰＬを通過し、プリズムＰＳによって吸収される。このため、液晶表示装置１としては暗表示（黒表示）状態となる。
【００４７】
このような構成においても、図２に示した例と同様の効果が得られるのに加えて、さらに、プリズム反射層ＰＬとは別に光吸収層ＡＢを設ける代わりに、プリズムＰＳ自体を光吸収体によって形成したことにより、より薄型化及びより軽量化が可能であり、さらに、低コスト化も可能となる。
【００４８】
なお、本実施形態では、垂直配向ツイスト型ゲストホスト液晶を用いた構成について説明したが、他の方式の反射型の液晶表示装置にも適用可能であり、同様の効果を得ることが可能である。
【００４９】
また、本実施形態のプリズム反射層ＰＬが再帰性反射板としても作用する場合、外光の入射方向で特に高い反射率を示すが、製品の仕様に応じて対向基板ＣＴの前面に拡散層を設けてもよい。
【００５０】
本実施形態の作用は、プリズム反射層ＰＬと液晶層ＬＱの屈折率マッチングによって得られるものであり、必ずしもゲストホスト液晶モードとの組み合わせを必要とするものではない。十分に屈折率異方性（Δｎ）の大きい液晶材料を用い、適当な屈折率を有するプリズム材料を選択することで、ある程度のコントラスト特性を得ることは十分可能である。しかし、表示デバイスとして十分なコントラスト特性を示し、且つ屈折率以外の特性に関しても必要とされる条件を満たす材料を選定するのは容易ではない。そのため、本実施形態で説明したゲストホスト液晶モード等の反射型モードに適用する構成は非常に有効である。
【００５１】
（実施例１）
この実施例１は、図２に示した例の液晶表示装置１に相当するものである。まず、第１絶縁基板ＳＵＢ１となるガラス基板上に、絶縁材料や導電材料の成膜とパターニングを繰り返してスイッチング素子ＳＷ、絶縁層ＩＳ、画素電極ＰＥを形成する。その後、黒色樹脂材料により光吸収層ＡＢを形成する。そして、光吸収層ＡＢの上層に光屈折率が約１．４８であり、且つ、透明なアクリル系樹脂材料を用いて、プリズムＰＳを形成し、プリズム反射層ＰＬとする。ここでは、傾斜角が約４５°の３面の斜面からなる三角錐状のプリズムＰＳを一定のピッチで配置してプリズム反射層ＰＬとした。
【００５２】
他方、対向基板ＣＴを形成するための第２絶縁基板ＳＵＢ２の一方の面に対向電極ＣＥを形成する。その後、プリズム反射層ＰＬの上及び対向電極ＣＥの上にそれぞれ垂直配向膜を塗布し、電気的な信頼性を有するシール材ＳＥを用いて一定のセルギャップを形成した状態で両基板の貼り合せを行い、液晶材料を充填する。
【００５３】
本実施例では、ツイスト型ＧＨ（ゲストホスト）液晶モードを用いることとし、二色性色素ＤＣとしての黒色色素とカイラル材料とを混合した誘電率異方性が負の液晶分子ＬＭを含む液晶材料を注入し、注入口を紫外線硬化樹脂で封止して液晶表示装置１を作製した。なお、本実施例で用いた液晶材料は、屈折率異方性（Δｎ）が約０．１（ｎｅ＝約１．５８、ｎｏ＝約１．４８）である。
【００５４】
このようにして作成した反射型の液晶表示装置１によれば、高いコントラスト比が得られた。
【００５５】
（実施例２）
この実施例２は、図３に示した例の液晶表示装置１に相当するものである。まず、第１絶縁基板ＳＵＢ１となるガラス基板上に、スイッチング素子ＳＷ、絶縁層ＩＳ、画素電極ＰＥを形成した後に、光吸収層を形成せずに、黒色のアクリル系樹脂材料を用いて、光屈折率が約１．４８であるプリズムＰＳを形成し、プリズム反射層ＰＬとする。この点を除いては、実施例と全く同じ構成であり、材料も同一のものを適用した。
【００５６】
このようにして作成した反射型の液晶表示装置１によれば、実施例１と同様に、高いコントラスト比が得られた。
【００５７】
（比較例１）
比較例１の反射型の液晶表示装置は、光吸収層及びプリズム反射層は設けずに、アルミニウム（Ａｌ）で形成した画素電極を拡散反射板として用いた。この点を除いては、実施例１と全く同じ構成であり、材料も同一のものを適用した。
【００５８】
このような比較例１の反射型の液晶表示装置によれば、コントラスト比が実施例１及び実施例２よりも低いことが確認された。これは、ＯＮ状態での外光の吸収が十分ではなく、一部が対向基板の前面に出射されたことに起因しているものと考えられる。
【００５９】
（比較例２）
比較例２の反射型の液晶表示装置は、液晶材料に二色性色素を添加していない点を除いては、実施例１と全く同じ構成であり、材料も同一のものを適用した。
【００６０】
このような比較例２の反射型の液晶表示装置によれば、コントラスト比が比較例１よりもさらに低いことが確認された。
【００６１】
以上説明したように、本実施形態によれば、表示品位が良好であり、薄型化及び低コスト化が可能な反射型の液晶表示装置を提供することができる。
【００６２】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６３】
１…液晶表示装置
ＬＰＮ…液晶表示パネル
ＡＲ…アレイ基板  ＳＷ…スイッチング素子  ＰＥ…画素電極
ＣＴ…対向基板  ＣＥ…対向電極
ＬＱ…液晶層  ＬＭ…液晶分子  ＤＣ…二色性色素
ＡＢ…光吸収層
ＰＬ…プリズム反射層  ＰＳ…プリズム
【図１】
2012128001.tif 000003
【図２】
2012128001.tif 000004
【図３】
2012128001.tif 000005